(57)【特許請求の範囲】
【請求項１】
下ケース前面にトリガースイッチのキートップが摺動自在に設けられ、該キートップの内端部内方に、メンブレンホルダーに保持されたメンブレンとラバースイッチとを上方から挿入することによりトリガースイッチを形成するように構成されたゲーム用コントローラに於て、前記トリガースイッチのキートップ内端上部を下方内側方向に斜欠してガイド部を形成し、該ガイド部によって、組立て時に挿入する前記ラバースイッチを案内するように構成したことを特徴とするゲーム用コントローラ。
【発明の詳細な説明】
【０００１】
【発明の属する技術分野】
この発明は、ゲーム用コントローラに関するものであり、特に、下ケース前面にトリガースイッチが設けられたゲーム用コントローラに関するものである。
【０００２】
【従来の技術】
従来の此種ゲーム用コントローラを図２乃至図４に従って説明する。図２に於て、１はゲーム用コントローラであり、該ゲーム用コントローラ１は上ケース２の上面部３に複数のジョイスティック４，５、複数の十字キー６，７、及び、複数のプッシュスイッチ８，９，１０が配設され、前記上ケース２の前面左側部にトリガースイッチ１１、右側部にトリガースイッチ１２が設けられ、下ケース１３の前面左側部にトリガースイッチ１４、右側部にトリガースイッチ１５が配設されている。尚、図に於て、１６，１７は把持部である。
【０００３】
図３及び図４に於て、１８はメンブレンホルダーであり、該メンブレンホルダー１８にメンブレン１９及びラバースイッチ２０が保持され、該ラバースイッチ２０は上下部にドーム状のラバートップ２１，２２が形成され、該ラバートップ２１，２２の内部中央部には可動接点２３，２４が配設され、該ラバートップ２１，２２の底部を形成する足部２５が前記メンブレン１９に接するように配設されている。
【０００４】
又、図３に於て、２６，２７は前記トリガースイッチ１２，１５のキートップであり、該キートップ２６，２７は、夫々、前記上ケース２及び下ケース１３に摺動自在に保持されている。そして、前記トリガースイッチ１５はキートップ２７の内端部２８が前記ラバースイッチ２０のラバートップ２２を押す構成となっており、該内端部２８の上端部が前記ラバートップ２２の組み込み時の挿入を容易とするため面取りＲされている。
【０００５】
而して、前記下ケース１３に保持された前記キートップ２７内端部２８内方に前記メンブレンホルダー１８に保持された前記メンブレン１９及び前記ラバースイッチ２０を挿入してトリガースイッチ１５が組み立てられる。
更に、前記キートップ２６が摺動自在に保持された前記上ケース２を前記下ケース１３に嵌合すると、前記ラバースイッチ２０のラバートップ２１が前記キートップ２６の内端部に近接し、トリガースイッチ１２が組み立てられる。同様の方法で前記トリガースイッチ１１及び１４も組み立てられる。
【０００６】
斯くして、前記ゲーム用コントローラ１が組み立てられた状態に於て、操作者が前記トリガースイッチ１５のキートップ２７を押すと、前記ラバースイッチ２０のラバートップ２２が屈曲して該ラバートップ２２の可動接点２４が前記メンブレン１９の接点部１９ａに接触して信号を出力する。同様に、他のトリガースイッチ１１，１２，１４も操作して出力させることができる。
【０００７】
【発明が解決しようとする課題】
上記従来例のゲーム用コントローラは、上ケースの前面左右側部にトリガースイッチが設けられ、下ケースの前面左右側部に別のトリガースイッチが配設されている。そして、下ケースに配設されたトリガースイッチのキートップはその内端部がラバースイッチのラバートップを押す構成となっており、該内端部の上端部が前記ラバースイッチの組み込み時に於ける挿入を容易とするため面取りされている。
【０００８】
然しながら、前述の如く面取りされていても、前記ラバースイッチ、及び、ラバートップが前記キートップの内端上端部に当接して、ラバースイッチのめくれが生じることがあり、該めくれによって製品不良が発生する。
そこで、ゲーム用コントローラの組立てに於て、トリガースイッチ内にラバースイッチを円滑に挿入して、ラバースイッチのめくれを防止し、製品不良の発生を防止するために解決すべき技術的課題が生じてくるのであり、本発明はこの課題を解決することを目的とする。
【０００９】
【課題を解決するための手段】
本発明は上記目的を達成するために提案されたものであり、下ケース前面にトリガースイッチのキートップが摺動自在に設けられ、該キートップの内端部内方に、メンブレンホルダーに保持されたメンブレンとラバースイッチとを上方から挿入することによりトリガースイッチを形成するように構成されたゲーム用コントローラに於て、前記トリガースイッチのキートップ内端上部を下方内側方向に斜欠してガイド部を形成し、該ガイド部によって、組立て時に挿入する前記ラバースイッチを案内するように構成したゲーム用コントローラを提供するものである。
【００１０】
【発明の実施の形態】
以下、本発明の一実施の形態を図１に従って詳述する。尚、説明の都合上、従来例と同一構成部分については同一符号を付してその説明を省略する。図はゲーム用コントローラ２９の一部側面縦断面図を示し、該ゲーム用コントローラ２９は、従来例のキートップ（図３に於て２７）に代えてキートップ３０が設けられ、該キートップ３０は内端部３１の上部が下方内側方向に斜欠されてガイド部３２が形成されており、該ガイド部３２によって、組立て時に挿入されてラバースイッチ２０を案内するように構成されている。
【００１１】
又、前記ゲーム用コントローラ２９は従来例のメンブレンホルダー（図３に於て１８）に代えてメンブレンホルダー３３が設けられており、該メンブレンホルダー３３は前記ラバースイッチ２０の下部まで延設されており、該メンブレンホルダー３３によって、該ラバースイッチ２０の下部を保持し、該ラバースイッチ２０の挿入時のめくれを防止するように構成されている。
【００１２】
従って、前記キートップ３０が下ケース１３に摺動自在に保持された状態で、該キートップ３０内端部３１内方に、メンブレンホルダー１８に保持されたメンブレン１９及び前記ラバースイッチ２０を挿入すると、該ラバースイッチ２０及びラバートップ２２が前記ガイド部３２に当接して案内され、これによって、該ラバースイッチ２０が円滑に挿入されてトリガースイッチ３４が組み立てられる。
【００１３】
更に、前記キートップ２６が摺動自在に保持された前記上ケース２を前記下ケース１３に嵌合すると、前記ラバースイッチ２０のラバートップ２１が前記キートップ２６の内端部に近接し、トリガースイッチ１２が組み立てられる。同様の方法で他のトリガースイッチも組み立てられる。
【００１４】
従って、組立て後、操作者が前記キートップ３０を押すと、前記ラバースイッチ２０のラバートップ２２が屈曲して該ラバートップ２２の可動接点２４が前記メンブレン１９の接点部１９ａに接触して信号を出力する。又、他のトリガースイッチも同様に操作して出力させることができる。
【００１５】
斯くして、本発明のコントローラはキートップ３０の内端部３１上部が下方内側方向に斜欠されてガイド部３２が形成されているから、該ガイド部３２によって、組立て時に挿入されるラバースイッチ２０を案内することができ、且つ、該ガイド部３２によって、案内が円滑に行われるので、従来のキートップに比較して、ラバースイッチ２０のめくれがなくなり、該めくれによる製品不良の発生が減少する。
【００１６】
尚、本発明は、本発明の精神を逸脱しない限り種々の改変を為すことができ、そして、本発明が該改変されたものに及ぶことは当然である。
【００１７】
【発明の効果】
本発明は上記一実施の形態に詳述したように、下ケース前面にトリガースイッチを形成するように構成されたゲーム用コントローラに於て、前記トリガースイッチのキートップ内端上部を下方内側方向に斜欠してガイド部を形成したから、該ガイド部によって、組立て時に挿入するラバースイッチを円滑に案内することができ、これによって、ラバースイッチの挿入時のめくれをなくすことが可能となり、製品不良の発生を低減できる等、正に著大なる効果を奏する発明である。
【図面の簡単な説明】
【図１】本発明の一実施の形態を示し、ゲーム用コントローラの一部側面縦断面図。
【図２】（ａ）従来例を示し、ゲーム用コントローラの平面図。
（ｂ）従来例を示し、ゲーム用コントローラの正面図。
【図３】従来例を示し、ゲーム用コントローラの一部側面縦断面図。
【図４】従来例を示し、メンブレンと、メンブレンホルダーと、ラバースイッチの構成を示す正面図。
【符号の説明】
１３          下ケース
１９          メンブレン
２０          ラバースイッチ
２９          ゲーム用コントローラ
３０          キートップ
３１          内端部
３２          ガイド部
３３          メンブレンホルダー
３４          トリガースイッチ
【図１】
0003747463.tif 000002
【図２】
0003747463.tif 000003
【図３】
0003747463.tif 000004
【図４】
0003747463.tif 000005